(57)【要約】【課題】接続作業性を向上させつつがたつきを抑えること。【解決手段】被係合体１０の被ガイド壁面１２Ａ，１３Ａは、第１組付け部材１１０及び第２組付け部材１２０の組付け方向で第１及び第２の被ガイド領域Ｔ１，Ｔ２に区分されており、第１成形型の抜き勾配の傾斜角で傾斜させた第１被ガイド領域Ｔ１の第１被ガイド部１２Ａ１，１３Ａ１と、下記ガイド壁面での案内が開始される側である第２被ガイド領域Ｔ２で第１成形型の抜き勾配の傾斜角よりも傾斜させた第２被ガイド部１２Ａ２，１３Ａ２と、を有し、係合体２０のガイド壁面２２Ａ，２３Ａは、第１被ガイド部と同等の傾斜角で傾斜させ、係合完了位置のときに第１被ガイド部に対して平行に対向配置させる第１ガイド部２２Ａ１，２３Ａ１と、第２被ガイド部と同等の傾斜角で傾斜させ、係合完了位置のときに第２被ガイド部に対して平行に対向配置させる第２ガイド部２２Ａ２，２３Ａ２と、を有すること。【選択図】図４
2020029890.tif 000002
【特許請求の範囲】
【請求項１】
直線的な組付け動作で互いに組み付けられていく第１組付け部材及び第２組付け部材の内の一方に設け、被係合部と、前記被係合部を間に介在させるべく互いに対向配置させ、かつ、前記第１組付け部材及び前記第２組付け部材の組付け方向及び第１成形型からの抜き取り方向に沿って延在させた第１及び第２の被ガイドレール部と、を有する被係合体と、
前記第１組付け部材及び前記第２組付け部材の内の他方に設け、前記第１組付け部材及び前記第２組付け部材の組付けが完了しているときに前記被係合部に係合させる係合部と、前記係合部を間に介在させるべく互いに対向配置させ、かつ、前記組付け方向及び第２成形型からの抜き取り方向に沿って延在させ、かつ、前記被係合部及び前記係合部が係合完了位置になるまで前記第１及び第２の被ガイドレール部を案内して、前記係合完了位置のときに前記第１及び第２の被ガイドレール部を挟み込む第１及び第２のガイドレール部と、を有する係合体と、
を備え、
前記第１被ガイドレール部は、前記第１ガイドレール部による挟み込み方向で前記第１ガイドレール部に対向配置される被ガイド壁面を有し、
前記第２被ガイドレール部は、前記第２ガイドレール部による挟み込み方向で前記第２ガイドレール部に対向配置される被ガイド壁面を有し、
前記第１ガイドレール部は、前記第１被ガイドレール部の前記被ガイド壁面を前記被係合部及び前記係合部が前記係合完了位置になるまで案内して、前記係合完了位置のときに前記第１被ガイドレール部の前記被ガイド壁面に対向配置されるガイド壁面を有し、
前記第２ガイドレール部は、前記第２被ガイドレール部の前記被ガイド壁面を前記被係合部及び前記係合部が前記係合完了位置になるまで案内して、前記係合完了位置のときに前記第２被ガイドレール部の前記被ガイド壁面に対向配置されるガイド壁面を有し、
それぞれの前記被ガイド壁面は、各々、前記組付け方向で第１及び第２の被ガイド領域に区分されており、前記第１成形型の抜き勾配の傾斜角で傾斜させた前記第１被ガイド領域の第１被ガイド部と、前記ガイド壁面での案内が開始される側である前記第２被ガイド領域で前記第１成形型の抜き勾配の傾斜角よりも傾斜させた第２被ガイド部と、を有し、
それぞれの前記ガイド壁面は、各々、前記第１被ガイド部と同等の傾斜角で傾斜させ、前記係合完了位置のときに前記第１被ガイド部に対して平行に対向配置させる第１ガイド部と、前記第２被ガイド部と同等の傾斜角で傾斜させ、前記係合完了位置のときに前記第２被ガイド部に対して平行に対向配置させる第２ガイド部と、を有することを特徴としたロック構造。
【請求項２】
前記係合体は、前記第１ガイドレール部と前記第２ガイドレール部との間で互いに対向配置されるそれぞれの前記第１ガイド部で、前記第１及び第２の被ガイドレール部の進入口を形成することを特徴とした請求項１に記載のロック構造。
【請求項３】
前記第１被ガイドレール部と前記第２被ガイドレール部は、各々、前記被ガイド壁面としての第１被ガイド壁面と、前記第１被ガイド壁面よりも前記被係合部側に寄せた前記被ガイド壁面としての第２被ガイド壁面と、を有し、
前記第１ガイドレール部は、前記第１被ガイドレール部の前記第１被ガイド壁面を前記被係合部及び前記係合部が前記係合完了位置になるまで案内して、前記第１被ガイドレール部の前記第１被ガイド壁面に対向配置される前記ガイド壁面としての第１ガイド壁面と、前記第１被ガイドレール部の前記第２被ガイド壁面を前記被係合部及び前記係合部が前記係合完了位置になるまで案内して、前記第１被ガイドレール部の前記第２被ガイド壁面に対向配置される前記ガイド壁面としての第２ガイド壁面と、を有し、
前記第２ガイドレール部は、前記第２被ガイドレール部の前記第１被ガイド壁面を前記被係合部及び前記係合部が前記係合完了位置になるまで案内して、前記第２被ガイドレール部の前記第１被ガイド壁面に対向配置される前記ガイド壁面としての第１ガイド壁面と、前記第２被ガイドレール部の前記第２被ガイド壁面を前記被係合部及び前記係合部が前記係合完了位置になるまで案内して、前記第２被ガイドレール部の前記第２被ガイド壁面に対向配置される前記ガイド壁面としての第２ガイド壁面と、を有することを特徴とした請求項１又は２に記載のロック構造。
【請求項４】
収容対象物を内方に収容する筐体と、
直線的な組付け動作で互いに組み付けられていく第１組付け部材及び第２組付け部材を組付け状態のまま保持するロック構造と、
を備え、
前記収容対象物とは、前記筐体の内方で電線に対して電気的に接続される電子部品又は前記筐体の内方で前記電子部品を収容及び保持する電子部品保持体であり、
前記筐体は、前記第１組付け部材としての前記収容対象物を直線的な組付け動作で収容し且つ組み付ける前記第２組付け部材を備え、
前記ロック構造は、
前記第１組付け部材及び前記第２組付け部材の内の一方に設け、被係合部と、前記被係合部を間に介在させるべく互いに対向配置させ、かつ、前記第１組付け部材及び前記第２組付け部材の組付け方向及び第１成形型からの抜き取り方向に沿って延在させた第１及び第２の被ガイドレール部と、を有する被係合体と、
前記第１組付け部材及び前記第２組付け部材の内の他方に設け、前記第１組付け部材及び前記第２組付け部材の組付けが完了しているときに前記被係合部に係合させる係合部と、前記係合部を間に介在させるべく互いに対向配置させ、かつ、前記組付け方向及び第２成形型からの抜き取り方向に沿って延在させ、かつ、前記被係合部及び前記係合部が係合完了位置になるまで前記第１及び第２の被ガイドレール部を案内して、前記係合完了位置のときに前記第１及び第２の被ガイドレール部を挟み込む第１及び第２のガイドレール部と、を有する係合体と、
を備え、
前記第１被ガイドレール部は、前記第１ガイドレール部による挟み込み方向で前記第１ガイドレール部に対向配置される被ガイド壁面を有し、
前記第２被ガイドレール部は、前記第２ガイドレール部による挟み込み方向で前記第２ガイドレール部に対向配置される被ガイド壁面を有し、
前記第１ガイドレール部は、前記第１被ガイドレール部の前記被ガイド壁面を前記被係合部及び前記係合部が前記係合完了位置になるまで案内して、前記係合完了位置のときに前記第１被ガイドレール部の前記被ガイド壁面に対向配置されるガイド壁面を有し、
前記第２ガイドレール部は、前記第２被ガイドレール部の前記被ガイド壁面を前記被係合部及び前記係合部が前記係合完了位置になるまで案内して、前記係合完了位置のときに前記第２被ガイドレール部の前記被ガイド壁面に対向配置されるガイド壁面を有し、
それぞれの前記被ガイド壁面は、各々、前記組付け方向で第１及び第２の被ガイド領域に区分されており、前記第１成形型の抜き勾配の傾斜角で傾斜させた前記第１被ガイド領域の第１被ガイド部と、前記ガイド壁面での案内が開始される側である前記第２被ガイド領域で前記第１成形型の抜き勾配の傾斜角よりも傾斜させた第２被ガイド部と、を有し、
それぞれの前記ガイド壁面は、各々、前記第１被ガイド部と同等の傾斜角で傾斜させ、前記係合完了位置のときに前記第１被ガイド部に対して平行に対向配置させる第１ガイド部と、前記第２被ガイド部と同等の傾斜角で傾斜させ、前記係合完了位置のときに前記第２被ガイド部に対して平行に対向配置させる第２ガイド部と、を有することを特徴とした電気接続箱。
【請求項５】
収容対象物と、
電線と、
前記収容対象物及び前記電線を内方に収容し、前記電線を内方から外方へと引き出す筐体と、
直線的な組付け動作で互いに組み付けられていく第１組付け部材及び第２組付け部材を組付け状態のまま保持するロック構造と、
を備え、
前記収容対象物とは、前記筐体の内方で前記電線に対して電気的に接続される電子部品又は前記筐体の内方で前記電子部品を収容及び保持する電子部品保持体であり、
前記筐体は、前記第１組付け部材としての前記収容対象物を直線的な組付け動作で収容し且つ組み付ける前記第２組付け部材を備え、
前記ロック構造は、
前記第１組付け部材及び前記第２組付け部材の内の一方に設け、被係合部と、前記被係合部を間に介在させるべく互いに対向配置させ、かつ、前記第１組付け部材及び前記第２組付け部材の組付け方向及び第１成形型からの抜き取り方向に沿って延在させた第１及び第２の被ガイドレール部と、を有する被係合体と、
前記第１組付け部材及び前記第２組付け部材の内の他方に設け、前記第１組付け部材及び前記第２組付け部材の組付けが完了しているときに前記被係合部に係合させる係合部と、前記係合部を間に介在させるべく互いに対向配置させ、かつ、前記組付け方向及び第２成形型からの抜き取り方向に沿って延在させ、かつ、前記被係合部及び前記係合部が係合完了位置になるまで前記第１及び第２の被ガイドレール部を案内して、前記係合完了位置のときに前記第１及び第２の被ガイドレール部を挟み込む第１及び第２のガイドレール部と、を有する係合体と、
を備え、
前記第１被ガイドレール部は、前記第１ガイドレール部による挟み込み方向で前記第１ガイドレール部に対向配置される被ガイド壁面を有し、
前記第２被ガイドレール部は、前記第２ガイドレール部による挟み込み方向で前記第２ガイドレール部に対向配置される被ガイド壁面を有し、
前記第１ガイドレール部は、前記第１被ガイドレール部の前記被ガイド壁面を前記被係合部及び前記係合部が前記係合完了位置になるまで案内して、前記係合完了位置のときに前記第１被ガイドレール部の前記被ガイド壁面に対向配置されるガイド壁面を有し、
前記第２ガイドレール部は、前記第２被ガイドレール部の前記被ガイド壁面を前記被係合部及び前記係合部が前記係合完了位置になるまで案内して、前記係合完了位置のときに前記第２被ガイドレール部の前記被ガイド壁面に対向配置されるガイド壁面を有し、
それぞれの前記被ガイド壁面は、各々、前記組付け方向で第１及び第２の被ガイド領域に区分されており、前記第１成形型の抜き勾配の傾斜角で傾斜させた前記第１被ガイド領域の第１被ガイド部と、前記ガイド壁面での案内が開始される側である前記第２被ガイド領域で前記第１成形型の抜き勾配の傾斜角よりも傾斜させた第２被ガイド部と、を有し、
それぞれの前記ガイド壁面は、各々、前記第１被ガイド部と同等の傾斜角で傾斜させ、前記係合完了位置のときに前記第１被ガイド部に対して平行に対向配置させる第１ガイド部と、前記第２被ガイド部と同等の傾斜角で傾斜させ、前記係合完了位置のときに前記第２被ガイド部に対して平行に対向配置させる第２ガイド部と、を有することを特徴としたワイヤハーネス。
【発明の詳細な説明】
【技術分野】
【０００１】
本発明は、ロック構造、電気接続箱及びワイヤハーネスに関する。
【背景技術】
【０００２】
従来、組付け対象となる２つの組付け部材を組付け状態のまま保つためのロック構造が知られている。そのロック構造は、２つの組付け部材の内の一方に設けた被係合体と、その内の他方に設けた係合体と、を備える。このロック構造は、２つの組付け部材の組付けを完了させた際に、被係合体の被係合部と係合体の係合部とを互いに係合させることによって、その２つの組付け部材を組付け状態のまま保持させる。例えば、ロック構造は、電子部品やブロック等の収容対象物を収容する電気接続箱、その収容対象物と一緒に電線も収容し、外方に引き出されたその電線と共にワイヤハーネスを構成する電気接続箱等に適用される（下記の特許文献１及び２）。その電気接続箱においては、収容対象物と筐体とが組付け部材となり、筐体に収容して組み付けた収容対象物を組付け状態のまま保持するためにロック構造が用いられる。そのロック構造には、被係合部及び係合部が係合完了位置になるまで被係合体を係合体に沿って案内するための被ガイドレール部とガイドレール部とが設けられている。このロック構造においては、被係合体の２つの被ガイドレール部を係合体の２つのガイドレール部が挟み込みながら案内する。
【先行技術文献】
【特許文献】
【０００３】
【特許文献１】特開平１０−７０８１１号公報
【特許文献２】特開２００４−７２９４１号公報
【発明の概要】
【発明が解決しようとする課題】
【０００４】
ところで、２つの組付け部材においては、合成樹脂で成形される場合、相互間の組付け方向又は抜去方向に沿うように成形型からの抜き取り方向が設定され、その成形型の抜き勾配に応じた微小な傾斜角の傾斜面が壁面や端面等に形成される。ここで、被係合体や係合体は、その組付け部材と一体になって成形される。よって、この被係合体や係合体においては、成形型からの抜き取り方向が被ガイドレール部やガイドレール部の延在方向（相互間の案内方向）に沿うように設定され、その成形型の抜き勾配に応じた微小な傾斜角の傾斜面が被ガイドレール部やガイドレール部の壁面にも形成される。しかしながら、被ガイドレール部の傾斜面とガイドレール部の傾斜面は、係合完了位置のときに必ずしも互いの挟み込み方向で平行に対向配置されているとは限らず、それぞれの傾斜面の間の各位置での隙間に大小の差が生じている可能性がある。例えば、それぞれの傾斜面は、互いに逆向きに傾いた状態で対向配置されている場合、相互間の各位置での隙間に大小の差が生じてしまう。また、それぞれの傾斜面は、互いに同じ向きに傾いた状態で対向配置されていたとしても、その傾斜角が違うものであれば、相互間の各位置での隙間に大小の差が生じてしまう。故に、従来のロック構造においては、被係合部と係合部の係合が完了していたとしても、被ガイドレール部とガイドレール部のそれぞれの傾斜面の間でがたつきを発生させてしまう虞がある。また、従来のロック構造においては、被係合部と係合部の係合が完了する前に被ガイドレール部とガイドレール部のそれぞれの傾斜面同士が当接し、被係合体と係合体の接続作業性を低下させてしまう虞がある。
【０００５】
そこで、本発明は、接続作業性を向上させつつがたつきを抑え得るロック構造、電気接続箱及びワイヤハーネスを提供することを、その目的とする。
【課題を解決するための手段】
【０００６】
上記目的を達成する為、本発明に係るロック構造は、直線的な組付け動作で互いに組み付けられていく第１組付け部材及び第２組付け部材の内の一方に設け、被係合部と、前記被係合部を間に介在させるべく互いに対向配置させ、かつ、前記第１組付け部材及び前記第２組付け部材の組付け方向及び第１成形型からの抜き取り方向に沿って延在させた第１及び第２の被ガイドレール部と、を有する被係合体と、前記第１組付け部材及び前記第２組付け部材の内の他方に設け、前記第１組付け部材及び前記第２組付け部材の組付けが完了しているときに前記被係合部に係合させる係合部と、前記係合部を間に介在させるべく互いに対向配置させ、かつ、前記組付け方向及び第２成形型からの抜き取り方向に沿って延在させ、かつ、前記被係合部及び前記係合部が係合完了位置になるまで前記第１及び第２の被ガイドレール部を案内して、前記係合完了位置のときに前記第１及び第２の被ガイドレール部を挟み込む第１及び第２のガイドレール部と、を有する係合体と、を備える。そして、本発明に係るロック構造において、前記第１被ガイドレール部は、前記第１ガイドレール部による挟み込み方向で前記第１ガイドレール部に対向配置される被ガイド壁面を有し、前記第２被ガイドレール部は、前記第２ガイドレール部による挟み込み方向で前記第２ガイドレール部に対向配置される被ガイド壁面を有し、前記第１ガイドレール部は、前記第１被ガイドレール部の前記被ガイド壁面を前記被係合部及び前記係合部が前記係合完了位置になるまで案内して、前記係合完了位置のときに前記第１被ガイドレール部の前記被ガイド壁面に対向配置されるガイド壁面を有し、前記第２ガイドレール部は、前記第２被ガイドレール部の前記被ガイド壁面を前記被係合部及び前記係合部が前記係合完了位置になるまで案内して、前記係合完了位置のときに前記第２被ガイドレール部の前記被ガイド壁面に対向配置されるガイド壁面を有し、それぞれの前記被ガイド壁面は、各々、前記組付け方向で第１及び第２の被ガイド領域に区分されており、前記第１成形型の抜き勾配の傾斜角で傾斜させた前記第１被ガイド領域の第１被ガイド部と、前記ガイド壁面での案内が開始される側である前記第２被ガイド領域で前記第１成形型の抜き勾配の傾斜角よりも傾斜させた第２被ガイド部と、を有し、それぞれの前記ガイド壁面は、各々、前記第１被ガイド部と同等の傾斜角で傾斜させ、前記係合完了位置のときに前記第１被ガイド部に対して平行に対向配置させる第１ガイド部と、前記第２被ガイド部と同等の傾斜角で傾斜させ、前記係合完了位置のときに前記第２被ガイド部に対して平行に対向配置させる第２ガイド部と、を有することを特徴としている。
【０００７】
ここで、前記係合体は、前記第１ガイドレール部と前記第２ガイドレール部との間で互いに対向配置されるそれぞれの前記第１ガイド部で、前記第１及び第２の被ガイドレール部の進入口を形成することが望ましい。
【０００８】
また、前記第１被ガイドレール部と前記第２被ガイドレール部は、各々、前記被ガイド壁面としての第１被ガイド壁面と、前記第１被ガイド壁面よりも前記被係合部側に寄せた前記被ガイド壁面としての第２被ガイド壁面と、を有し、前記第１ガイドレール部は、前記第１被ガイドレール部の前記第１被ガイド壁面を前記被係合部及び前記係合部が前記係合完了位置になるまで案内して、前記第１被ガイドレール部の前記第１被ガイド壁面に対向配置される前記ガイド壁面としての第１ガイド壁面と、前記第１被ガイドレール部の前記第２被ガイド壁面を前記被係合部及び前記係合部が前記係合完了位置になるまで案内して、前記第１被ガイドレール部の前記第２被ガイド壁面に対向配置される前記ガイド壁面としての第２ガイド壁面と、を有し、前記第２ガイドレール部は、前記第２被ガイドレール部の前記第１被ガイド壁面を前記被係合部及び前記係合部が前記係合完了位置になるまで案内して、前記第２被ガイドレール部の前記第１被ガイド壁面に対向配置される前記ガイド壁面としての第１ガイド壁面と、前記第２被ガイドレール部の前記第２被ガイド壁面を前記被係合部及び前記係合部が前記係合完了位置になるまで案内して、前記第２被ガイドレール部の前記第２被ガイド壁面に対向配置される前記ガイド壁面としての第２ガイド壁面と、を有することが望ましい。
【０００９】
また、上記目的を達成する為、本発明に係る電気接続箱は、収容対象物を内方に収容する筐体と、直線的な組付け動作で互いに組み付けられていく第１組付け部材及び第２組付け部材を組付け状態のまま保持するロック構造と、を備える。本発明に係る電気接続箱において、前記収容対象物とは、前記筐体の内方で電線に対して電気的に接続される電子部品又は前記筐体の内方で前記電子部品を収容及び保持する電子部品保持体であり、前記筐体は、前記第１組付け部材としての前記収容対象物を直線的な組付け動作で収容し且つ組み付ける前記第２組付け部材を備える。また、本発明に係る電気接続箱において、前記ロック構造は、前記第１組付け部材及び前記第２組付け部材の内の一方に設け、被係合部と、前記被係合部を間に介在させるべく互いに対向配置させ、かつ、前記第１組付け部材及び前記第２組付け部材の組付け方向及び第１成形型からの抜き取り方向に沿って延在させた第１及び第２の被ガイドレール部と、を有する被係合体と、前記第１組付け部材及び前記第２組付け部材の内の他方に設け、前記第１組付け部材及び前記第２組付け部材の組付けが完了しているときに前記被係合部に係合させる係合部と、前記係合部を間に介在させるべく互いに対向配置させ、かつ、前記組付け方向及び第２成形型からの抜き取り方向に沿って延在させ、かつ、前記被係合部及び前記係合部が係合完了位置になるまで前記第１及び第２の被ガイドレール部を案内して、前記係合完了位置のときに前記第１及び第２の被ガイドレール部を挟み込む第１及び第２のガイドレール部と、を有する係合体と、を備える。そして、本発明に係る電気接続箱において、前記第１被ガイドレール部は、前記第１ガイドレール部による挟み込み方向で前記第１ガイドレール部に対向配置される被ガイド壁面を有し、前記第２被ガイドレール部は、前記第２ガイドレール部による挟み込み方向で前記第２ガイドレール部に対向配置される被ガイド壁面を有し、前記第１ガイドレール部は、前記第１被ガイドレール部の前記被ガイド壁面を前記被係合部及び前記係合部が前記係合完了位置になるまで案内して、前記係合完了位置のときに前記第１被ガイドレール部の前記被ガイド壁面に対向配置されるガイド壁面を有し、前記第２ガイドレール部は、前記第２被ガイドレール部の前記被ガイド壁面を前記被係合部及び前記係合部が前記係合完了位置になるまで案内して、前記係合完了位置のときに前記第２被ガイドレール部の前記被ガイド壁面に対向配置されるガイド壁面を有し、それぞれの前記被ガイド壁面は、各々、前記組付け方向で第１及び第２の被ガイド領域に区分されており、前記第１成形型の抜き勾配の傾斜角で傾斜させた前記第１被ガイド領域の第１被ガイド部と、前記ガイド壁面での案内が開始される側である前記第２被ガイド領域で前記第１成形型の抜き勾配の傾斜角よりも傾斜させた第２被ガイド部と、を有し、それぞれの前記ガイド壁面は、各々、前記第１被ガイド部と同等の傾斜角で傾斜させ、前記係合完了位置のときに前記第１被ガイド部に対して平行に対向配置させる第１ガイド部と、前記第２被ガイド部と同等の傾斜角で傾斜させ、前記係合完了位置のときに前記第２被ガイド部に対して平行に対向配置させる第２ガイド部と、を有することを特徴としている。
【００１０】
また、上記目的を達成する為、本発明に係るワイヤハーネスは、収容対象物と、電線と、前記収容対象物及び前記電線を内方に収容し、前記電線を内方から外方へと引き出す筐体と、直線的な組付け動作で互いに組み付けられていく第１組付け部材及び第２組付け部材を組付け状態のまま保持するロック構造と、を備える。本発明に係るワイヤハーネスにおいて、前記収容対象物とは、前記筐体の内方で前記電線に対して電気的に接続される電子部品又は前記筐体の内方で前記電子部品を収容及び保持する電子部品保持体であり、前記筐体は、前記第１組付け部材としての前記収容対象物を直線的な組付け動作で収容し且つ組み付ける前記第２組付け部材を備える。また、本発明に係るワイヤハーネスにおいて、前記ロック構造は、前記第１組付け部材及び前記第２組付け部材の内の一方に設け、被係合部と、前記被係合部を間に介在させるべく互いに対向配置させ、かつ、前記第１組付け部材及び前記第２組付け部材の組付け方向及び第１成形型からの抜き取り方向に沿って延在させた第１及び第２の被ガイドレール部と、を有する被係合体と、前記第１組付け部材及び前記第２組付け部材の内の他方に設け、前記第１組付け部材及び前記第２組付け部材の組付けが完了しているときに前記被係合部に係合させる係合部と、前記係合部を間に介在させるべく互いに対向配置させ、かつ、前記組付け方向及び第２成形型からの抜き取り方向に沿って延在させ、かつ、前記被係合部及び前記係合部が係合完了位置になるまで前記第１及び第２の被ガイドレール部を案内して、前記係合完了位置のときに前記第１及び第２の被ガイドレール部を挟み込む第１及び第２のガイドレール部と、を有する係合体と、を備える。そして、本発明に係るワイヤハーネスにおいて、前記第１被ガイドレール部は、前記第１ガイドレール部による挟み込み方向で前記第１ガイドレール部に対向配置される被ガイド壁面を有し、前記第２被ガイドレール部は、前記第２ガイドレール部による挟み込み方向で前記第２ガイドレール部に対向配置される被ガイド壁面を有し、前記第１ガイドレール部は、前記第１被ガイドレール部の前記被ガイド壁面を前記被係合部及び前記係合部が前記係合完了位置になるまで案内して、前記係合完了位置のときに前記第１被ガイドレール部の前記被ガイド壁面に対向配置されるガイド壁面を有し、前記第２ガイドレール部は、前記第２被ガイドレール部の前記被ガイド壁面を前記被係合部及び前記係合部が前記係合完了位置になるまで案内して、前記係合完了位置のときに前記第２被ガイドレール部の前記被ガイド壁面に対向配置されるガイド壁面を有し、それぞれの前記被ガイド壁面は、各々、前記組付け方向で第１及び第２の被ガイド領域に区分されており、前記第１成形型の抜き勾配の傾斜角で傾斜させた前記第１被ガイド領域の第１被ガイド部と、前記ガイド壁面での案内が開始される側である前記第２被ガイド領域で前記第１成形型の抜き勾配の傾斜角よりも傾斜させた第２被ガイド部と、を有し、それぞれの前記ガイド壁面は、各々、前記第１被ガイド部と同等の傾斜角で傾斜させ、前記係合完了位置のときに前記第１被ガイド部に対して平行に対向配置させる第１ガイド部と、前記第２被ガイド部と同等の傾斜角で傾斜させ、前記係合完了位置のときに前記第２被ガイド部に対して平行に対向配置させる第２ガイド部と、を有することを特徴としている。
【発明の効果】
【００１１】
本発明に係るロック構造は、第１成形型の抜き勾配の傾斜角で傾斜させた第１被ガイド部と、第１被ガイド部と同等の傾斜角で傾斜させ、被係合部及び係合部が係合完了位置のときに第１被ガイド部に対して平行に対向配置させる第１ガイド部と、を備える。そして、本発明に係るロック構造は、第１成形型の抜き勾配の傾斜角よりも傾斜させた第２被ガイド部と、第２被ガイド部と同等の傾斜角で傾斜させ、被係合部及び係合部が係合完了位置のときに第２被ガイド部に対して平行に対向配置させる第２ガイド部と、を備える。従って、このロック構造は、被係合体と係合体の接続作業性を向上させつつ、被係合体と係合体との間のがたつきを抑えることができる。更に、本発明に係る電気接続箱及びワイヤハーネスは、そのロック構造を備えているので、このロック構造が奏する効果を同様に得ることができる。
【図面の簡単な説明】
【００１２】
【図１】図１は、実施形態のロック構造を接続方向に見た平面図である。
【図２】図２は、被係合体を示す斜視図である。
【図３】図３は、係合体を示す斜視図である。
【図４】図４は、図１のＸ１−Ｘ１線断面図である。
【図５】図５は、接続前のロック構造について説明する断面図である。
【図６】図６は、図１のＸ２−Ｘ２線断面図である。
【図７】図７は、接続前のロック構造について説明する断面図である。
【図８】図８は、図１のＹ−Ｙ線断面図である。
【図９】図９は、実施形態の電気接続箱及びワイヤハーネスを示す斜視図である。
【図１０】図１０は、実施形態の電気接続箱を示す分解斜視図である。
【図１１】図１１は、ロック構造の電気接続箱への適用例の１つを示す分解斜視図である。
【図１２】図１２は、ロック構造の電気接続箱への適用例の１つを別角度から見た分解斜視図である。
【図１３】図１３は、図１１のＡ部拡大図である。
【図１４】図１４は、図１１のＢ部を拡大した部分断面図である。
【発明を実施するための形態】
【００１３】
以下に、本発明に係るロック構造、電気接続箱及びワイヤハーネスの実施形態を図面に基づいて詳細に説明する。尚、この実施形態によりこの発明が限定されるものではない。
【００１４】
［実施形態］
本発明に係るロック構造、電気接続箱及びワイヤハーネスの実施形態の１つを図１から図１４に基づいて説明する。
【００１５】
図１から図８の符号１は、本実施形態のロック構造を示す。
【００１６】
ロック構造１は、直線的な組付け動作で互いに組み付けられていく２つの組付け部材（第１組付け部材１１０、第２組付け部材１２０）を組付け状態のまま保持するために、この第１組付け部材１１０と第２組付け部材１２０との間に設ける（図１及び図８）。ここでは、第１組付け部材１１０が第２組付け部材１２０に対して直線的な組付け動作で内方に収容され且つ組み付けられる。ロック構造１は、第１組付け部材１１０及び第２組付け部材１２０の内の一方に設けた被係合体１０と、その内の他方に設けた係合体２０と、を備える（図１及び図４から図８）。
【００１７】
その被係合体１０と係合体２０は、第１組付け部材１１０及び第２組付け部材１２０の直線的な組付け動作に連動して互いに近づきながら関わり合い、第１組付け部材１１０及び第２組付け部材１２０の組付けが完了することで互いを係合させるように形成する。そして、被係合体１０と係合体２０は、第１組付け部材１１０及び第２組付け部材１２０の組付けが完了しているときに、互いの係合状態が保たれて、その第１組付け部材１１０及び第２組付け部材１２０が組付け状態のまま保持されるように形成する。
【００１８】
被係合体１０は、合成樹脂材料を用いて、第１組付け部材１１０及び第２組付け部材１２０の内の一方と一体になって第１成形型（図示略）で成形される。係合体２０は、合成樹脂材料を用いて、第１組付け部材１１０及び第２組付け部材１２０の内の他方と一体になって第２成形型（図示略）で成形される。
【００１９】
被係合体１０は、被係合部１１と、この被係合部１１を間に介在させるべく互いに対向配置させ、かつ、第１組付け部材１１０及び第２組付け部材１２０の組付け方向並びに第１成形型からの抜き取り方向に沿って延在させた第１及び第２の被ガイドレール部１２，１３と、を有する（図１、図２及び図４から図７）。一方、係合体２０は、第１組付け部材１１０及び第２組付け部材１２０の組付けが完了しているときに被係合部１１に係合させる係合部２１と、この係合部２１を間に介在させるべく互いに対向配置させ、かつ、第１組付け部材１１０及び第２組付け部材１２０の組付け方向並びに第２成形型からの抜き取り方向に沿って延在させ、かつ、被係合部１１及び係合部２１が係合完了位置になるまで第１及び第２の被ガイドレール部１２，１３を案内して、被係合部１１及び係合部２１が係合完了位置のときに第１及び第２の被ガイドレール部１２，１３を挟み込む第１及び第２のガイドレール部２２，２３と、を有する（図１及び図３から図７）。
【００２０】
例えば、被係合部１１と係合部２１は、その内の一方を爪状の爪部として形成し、その内の他方を爪部が引っ掛かる壁部として形成してもよい。その壁部には、例えば、第１組付け部材１１０及び第２組付け部材１２０の組付けが完了しているときに爪部が進入する貫通孔又は溝又は切欠き等の周壁部を利用する。また、被係合部１１と係合部２１は、各々、第１組付け部材１１０及び第２組付け部材１２０の組付けが完了しているときに互いに係合可能な爪状に形成してもよい。ここでは、被係合部１１と係合部２１とを各々爪部として形成している（図８）。
【００２１】
第１被ガイドレール部１２は、第１ガイドレール部２２による挟み込み方向で第１ガイドレール部２２に対向配置される被ガイド壁面１２Ａを有する（図１、図２及び図４から図７）。また、第２被ガイドレール部１３は、第２ガイドレール部２３による挟み込み方向で第２ガイドレール部２３に対向配置される被ガイド壁面１３Ａを有する（図１、図２及び図４から図７）。一方、第１ガイドレール部２２は、第１被ガイドレール部１２の被ガイド壁面１２Ａを被係合部１１及び係合部２１が係合完了位置になるまで案内して、被係合部１１及び係合部２１が係合完了位置のときに第１被ガイドレール部１２の被ガイド壁面１２Ａに対向配置されるガイド壁面２２Ａを有する（図１及び図３から図７）。その被ガイド壁面１２Ａとガイド壁面２２Ａは、第１ガイドレール部２２と第２ガイドレール部２３とによる第１及び第２の被ガイドレール部１２，１３に対する挟み込み方向で対向配置させる。また、第２ガイドレール部２３は、第２被ガイドレール部１３の被ガイド壁面１３Ａを被係合部１１及び係合部２１が係合完了位置になるまで案内して、被係合部１１及び係合部２１が係合完了位置のときに第２被ガイドレール部１３の被ガイド壁面１３Ａに対向配置されるガイド壁面２３Ａを有する（図１及び図３から図７）。その被ガイド壁面１３Ａとガイド壁面２３Ａは、第１ガイドレール部２２と第２ガイドレール部２３とによる第１及び第２の被ガイドレール部１２，１３に対する挟み込み方向で対向配置させる。
【００２２】
それぞれの被ガイド壁面１２Ａ，１３Ａは、各々、第１組付け部材１１０及び第２組付け部材１２０の組付け方向で第１及び第２の被ガイド領域Ｔ１，Ｔ２に区分される（図５及び図７）。被ガイド壁面１２Ａにおいては、ガイド壁面２２Ａでの案内が開始される側（いうなれば、第１被ガイドレール部１２を第１ガイドレール部２２に差し込んでいくときの差し込みが始まる側）を第２被ガイド領域Ｔ２とし、これとは逆側を第１被ガイド領域Ｔ１とする。また、被ガイド壁面１３Ａにおいては、ガイド壁面２３Ａでの案内が開始される側（いうなれば、第２被ガイドレール部１３を第２ガイドレール部２３に差し込んでいくときの差し込みが始まる側）を第２被ガイド領域Ｔ２とし、これとは逆側を第１被ガイド領域Ｔ１とする。それぞれの被ガイド壁面１２Ａ，１３Ａは、各々、組付け方向での第１被ガイド領域Ｔ１の大きさが同等になり、かつ、組付け方向での第２被ガイド領域Ｔ２の大きさが同等になるように形成する。
【００２３】
それぞれの被ガイド壁面１２Ａ，１３Ａは、各々、第１成形型の抜き勾配の傾斜角で傾斜させた第１被ガイド領域Ｔ１の第１被ガイド部１２Ａ１，１３Ａ１と、第２被ガイド領域Ｔ２で第１成形型の抜き勾配の傾斜角よりも傾斜させた第２被ガイド部１２Ａ２，１３Ａ２と、を有する（図２及び図４から図７）。ここで、第１成形型の抜き勾配の傾斜角とは、第１成形型からの抜き取り方向に対して僅かに傾けた微小な傾斜角のことであり、金型等の成形型で合成樹脂材料を成形する際の成形品の抜き取り易さを考慮して一般的に設定される周知の角度のことをいう。それぞれの第１被ガイド部１２Ａ１，１３Ａ１は、第１成形型からの抜き取り方向に対して互いに逆向きの傾きではあるが、同じ大きさの傾斜角に形成している。また、それぞれの第２被ガイド部１２Ａ２，１３Ａ２は、第１成形型からの抜き取り方向に対して互いに逆向きの傾きではあるが、同じ大きさの傾斜角に形成している。
【００２４】
被係合体１０においては、前記挟み込み方向での第１被ガイド部１２Ａ１と第１被ガイド部１３Ａ１の間隔が、第１及び第２の被ガイドレール部１２，１３の第１及び第２のガイドレール部２２，２３への差し込み方向に進むほど僅かに小さくなる。また、この被係合体１０においては、前記挟み込み方向での第２被ガイド部１２Ａ２と第２被ガイド部１３Ａ２の間隔が、第１及び第２の被ガイドレール部１２，１３の第１及び第２のガイドレール部２２，２３への差し込み方向に進むほど小さくなる。この被係合体１０においては、第１被ガイド部１２Ａ１と第１被ガイド部１３Ａ１の間隔の変化よりも、第２被ガイド部１２Ａ２と第２被ガイド部１３Ａ２の間隔の変化の方が大きくなるように、それぞれの第２被ガイド部１２Ａ２，１３Ａ２の傾斜角度や組付け方向での第１及び第２の被ガイド領域Ｔ１，Ｔ２の大きさを設定する。
【００２５】
それぞれのガイド壁面２２Ａ，２３Ａは、各々、第１被ガイド部１２Ａ１，１３Ａ１と同等の傾斜角で傾斜させ、被係合部１１及び係合部２１が係合完了位置のときに第１被ガイド部１２Ａ１，１３Ａ１に対して平行に対向配置させる第１ガイド部２２Ａ１，２３Ａ１と、第２被ガイド部１２Ａ２，１３Ａ２と同等の傾斜角で傾斜させ、被係合部１１及び係合部２１が係合完了位置のときに第２被ガイド部１２Ａ２，１３Ａ２に対して平行に対向配置させる第２ガイド部２２Ａ２，２３Ａ２と、を有する（図３から図７）。
【００２６】
このロック構造１においては、第１組付け部材１１０及び第２組付け部材１２０の間の直線的な組付け動作に連動して、被係合体１０と係合体２０とが互いに近づきながら、第１被ガイドレール部１２が第１ガイドレール部２２に差し込まれ、かつ、第２被ガイドレール部１３が第２ガイドレール部２３に差し込まれていく。そして、このロック構造１においては、第１組付け部材１１０及び第２組付け部材１２０の間の直線的な組付け動作を継続させることで、第１被ガイドレール部１２が第１ガイドレール部２２に案内され、かつ、第２被ガイドレール部１３が第２ガイドレール部２３に案内されていく。このロック構造１においては、第１組付け部材１１０と第２組付け部材１２０の組付けが完了した際に、被係合部１１と係合部２１の係合が完了する。
【００２７】
ここで、このロック構造１においては、第１ガイド部２２Ａ１，２３Ａ１の間隔に対して、第２被ガイド部１２Ａ２，１３Ａ２における第１ガイド部２２Ａ１，２３Ａ１での案内が開始される先端（いうなれば、第１被ガイドレール部１２を第１ガイドレール部２２に差し込んでいくときの差し込みが始まる側の先端、第２被ガイドレール部１３を第２ガイドレール部２３に差し込んでいくときの差し込みが始まる側の先端）の間隔が小さくなっている。つまり、被係合体１０と係合体２０の接続作業が始まった段階では、それぞれのガイド壁面２２Ａ，２３Ａによるそれぞれの被ガイド壁面１２Ａ，１３Ａに対する挟み込み方向にて、被ガイド壁面１２Ａとガイド壁面２２Ａとの間及び被ガイド壁面１３Ａとガイド壁面２３Ａとの間に各々大きな隙間を設けることができる。よって、このロック構造１においては、第１及び第２の被ガイドレール部１２，１３を第１及び第２のガイドレール部２２，２３に各々差し込む際の差し込み作業が行い易くなる。従って、このロック構造１は、被係合体１０と係合体２０の接続作業性を向上させることができる。
【００２８】
更に、このロック構造１においては、その差し込みが進行して被係合部１１及び係合部２１が係合完了位置となったときに、それぞれの被ガイド壁面１２Ａ，１３Ａがそれぞれのガイド壁面２２Ａ，２３Ａに挟み込まれており、被ガイド壁面１２Ａとガイド壁面２２Ａとが近接状態で対向配置され、かつ、被ガイド壁面１３Ａとガイド壁面２３Ａとが近接状態で対向配置される。つまり、被係合部１１及び係合部２１が係合完了位置となったときには、被ガイド壁面１２Ａとガイド壁面２２Ａとの間及び被ガイド壁面１３Ａとガイド壁面２３Ａとの間のそれぞれの隙間を微小なものへと変化させることができる。そして、このロック構造１においては、被係合部１１及び係合部２１が係合完了位置のときに、第１被ガイド部１２Ａ１と第１ガイド部２２Ａ１とが平行な状態で対向配置され、かつ、第１被ガイド部１３Ａ１と第１ガイド部２３Ａ１とが平行な状態で対向配置され、かつ、第２被ガイド部１２Ａ２と第２ガイド部２２Ａ２とが平行な状態で対向配置され、かつ、第２被ガイド部１３Ａ２と第２ガイド部２３Ａ２とが平行な状態で対向配置されている。よって、このロック構造１においては、それぞれのガイド壁面２２Ａ，２３Ａによるそれぞれの被ガイド壁面１２Ａ，１３Ａに対する挟み込み方向にて、被係合体１０と係合体２０との間のがたつきを抑えることができる。従って、このロック構造１は、その挟み込み方向で振動等の外部入力が加わったとしても、その挟み込み方向での被係合体１０と係合体２０との間の相対的な位置ずれを抑えることができるので、被係合部１１及び係合部２１を係合状態のまま保持して、第１組付け部材１１０及び第２組付け部材１２０を組付け状態のまま保つことができる。
【００２９】
また更に、このロック構造１においては、被係合部１１及び係合部２１が係合完了位置のときに、被係合部１１と係合部２１とで被係合体１０と係合体２０との間の抜去方向の位置ずれを係止し、かつ、第２被ガイド部１２Ａ２と第２ガイド部２２Ａ２との間及び第２被ガイド部１３Ａ２と第２ガイド部２３Ａ２との間で被係合体１０と係合体２０との間の組付け方向の位置ずれを係止することができる。そして、このロック構造１においては、平行な状態で且つ近接状態で対向配置されている一対の第２被ガイド部１２Ａ２と第２ガイド部２２Ａ２及び一対の第２被ガイド部１３Ａ２と第２ガイド部２３Ａ２によって、被係合体１０と係合体２０との間の組付け方向における被係合体１０と係合体２０との間のがたつきを抑えることができる。従って、このロック構造１は、被係合体１０と係合体２０の組付け方向や抜去方向で振動等の外部入力が加わったとしても、その組付け方向や抜去方向での被係合体１０と係合体２０との間の相対的な位置ずれを抑えることができるので、被係合部１１及び係合部２１を係合状態のまま保持して、第１組付け部材１１０及び第２組付け部材１２０を組付け状態のまま保つことができる。
【００３０】
このように、このロック構造１は、被係合体１０と係合体２０の接続作業性を向上させつつ、被係合体１０と係合体２０との間のがたつきを抑えることができる。従って、このロック構造１は、良好な接続作業性を得ながらも、第１組付け部材１１０及び第２組付け部材１２０を組付け状態のまま保つことができる。
【００３１】
ここで、このロック構造１は、被係合体１０と係合体２０の接続作業性の向上効果や被係合体１０と係合体２０との間のがたつき抑制効果を高めるべく、それぞれの被ガイド壁面１２Ａ，１３Ａにおける第２被ガイド部１２Ａ２，１３Ａ２の占める割合を高めることが望ましい。そこで、それぞれの被ガイド壁面１２Ａ，１３Ａは、例えば、各々、第１組付け部材１１０及び第２組付け部材１２０の組付け方向での第１被ガイド領域Ｔ１と第２被ガイド領域Ｔ２の大きさが同等になるように形成し、第１被ガイド部１２Ａ１，１３Ａ１と第２被ガイド部１２Ａ２，１３Ａ２の比率が略同等になるようにすればよい。また、それぞれの被ガイド壁面１２Ａ，１３Ａは、例えば、各々、第１組付け部材１１０及び第２組付け部材１２０の組付け方向での第１被ガイド領域Ｔ１の大きさよりも当該組付け方向での第２被ガイド領域Ｔ２の大きさが大きくなるように形成し、第２被ガイド部１２Ａ２，１３Ａ２の占める割合を第１被ガイド部１２Ａ１，１３Ａ１の占める割合よりも高めればよい。
【００３２】
以下に、被係合体１０と係合体２０の具体例の１つを用いて本実施形態のロック構造１を詳述する。
【００３３】
この例示では、第１組付け部材１１０及び第２組付け部材１２０を合成樹脂等の絶縁性材料で成形し、被係合体１０と係合体２０についても、合成樹脂等の絶縁性材料で成形する。ここでは、第１組付け部材１１０に対して被係合体１０を一体成形し、第２組付け部材１２０に対して係合体２０を一体成形している。
【００３４】
ここでは、第１組付け部材１１０及び第２組付け部材１２０を電気接続箱２００の構成部品に用いるものとして例示する（図９及び図１０）。従って、その電気接続箱２００は、第１組付け部材１１０及び第２組付け部材１２０と共にロック構造１を備える。更に、この電気接続箱２００は、収容対象物３００を内方に収容する筐体２０１を備える（図１０）。
【００３５】
ここで、収容対象物３００とは、例えば、筐体２０１の内方で電線Ｗｅ（図９）に対して電気的に接続される電子部品３０１又は筐体２０１の内方で電子部品３０１を収容及び保持する電子部品保持体３０２のことである（図１０）。そして、電子部品３０１とは、例えば、リレー、ヒューズ等の回路保護部品、コネクタ、端子金具などのことを指している。本実施形態では、回路基板、電子制御ユニット（所謂ＥＣＵ）等の電子機器についても、電子部品３０１の一形態として考える。また、電子部品保持体３０２とは、ブロックやカセットなどと称されるもののことである。この例示の筐体２０１の内方には、複数の電子部品３０１と複数の電子部品保持体３０２とが収容されている。よって、この例示の筐体２０１においては、その電子部品３０１に対して電気的に接続された電線Ｗｅについても内方に収容されており、その電線Ｗｅが内方から外方に引き出される（図９）。電気接続箱２００は、その収容対象物３００（電子部品３０１、電子部品保持体３０２）や電線Ｗｅと共にワイヤハーネスＷＨを構成する（図９）。
【００３６】
筐体２０１は、合成樹脂材料で成形する。この筐体２０１は、複数の筐体部材（第１筐体部材２１０、第２筐体部材２２０、第３筐体部材２３０）を互いに組み付けて形成される収容箱である（図９及び図１０）。第１筐体部材２１０は、両端を開口させた筒状の部材であり、所謂フレームのことを指している（図１０）。筐体２０１においては、この第１筐体部材２１０の内方に収容対象物３００（電子部品３０１、電子部品保持体３０２）を収容する。また、第２筐体部材２２０は、第１筐体部材２１０の一方の開口を塞ぐ蓋部材であり、所謂アッパカバーのことを指している（図１０）。また、第３筐体部材２３０は、第１筐体部材２１０の他方の開口を塞ぐ蓋部材であり、所謂ロアカバーのことを指している（図１０）。
【００３７】
電気接続箱２００においては、収容対象物３００を第１組付け部材１１０とし、この収容対象物３００が収容される第１筐体部材２１０を第２組付け部材１２０とする。つまり、筐体２０１は、第１組付け部材１１０としての収容対象物３００を直線的な組付け動作で収容し且つ組み付ける第２組付け部材１２０としての第１筐体部材２１０を備えている。ここでは、電子部品保持体３０２を第１組付け部材１１０として利用する（図１０）。電子部品保持体３０２は、第２組付け部材１２０としての第１筐体部材２１０の他方の開口から収容されていく（図１１）。
【００３８】
ロック構造１は、その電子部品保持体３０２と第１筐体部材２１０との間に１つ又は複数設ける。ここで例示するロック構造１は、被係合部１１と係合部２１を各々爪部として形成している。
【００３９】
被係合体１０は、電子部品保持体３０２の外周面３０２ａに設ける（図１１）。その外周面３０２ａは、電子部品保持体３０２が第１筐体部材２１０に収容された際に、その第１筐体部材２１０の外周壁２１１の内周面２１１ａ（図１２）に対向配置される。但し、この例示の第１筐体部材２１０は、その外周壁２１１の内側に内周壁２１２を設けた二重壁構造を採っている。よって、係合体２０は、その外周壁２１１の内周面２１１ａに設けると共に、内周壁２１２も利用して形成する（図１２）。
【００４０】
この例示の被係合体１０は、電子部品保持体３０２の外周面３０２ａに対して間隔を空けて対向配置された可撓性を持つ可撓片部１４を有する（図１３）。その可撓片部１４は、第２被ガイド部１２Ａ２，１３Ａ２における第１ガイド部２２Ａ１，２３Ａ１での案内が開始される側（いうなれば、第１被ガイドレール部１２を第１ガイドレール部２２に差し込んでいくときの差し込みが始まる側、第２被ガイドレール部１３を第２ガイドレール部２３に差し込んでいくときの差し込みが始まる側）を固定端とし、この固定端よりも第１被ガイド部１２Ａ１，１３Ａ１側を自由端とする片持ち形状に形成する。被係合部１１は、この可撓片部１４の自由端側で外周面３０２ａ側とは逆側の壁面から爪状に膨出させている。
【００４１】
この例示の被係合体１０は、板状の第１壁部１５ａと板状の第２壁部１５ｂとで第１被ガイドレール部１２を形成する（図１３）。第１壁部１５ａは、電子部品保持体３０２の外周面３０２ａから突出させ、かつ、電子部品保持体３０２及び第１筐体部材２１０の組付け方向並びに第１成形型からの抜き取り方向に沿って延在させる。また、第２壁部１５ｂは、第１壁部１５ａの突出方向側の端部から被係合部１１側とは逆側に突出させ、かつ、電子部品保持体３０２及び第１筐体部材２１０の組付け方向並びに第１成形型からの抜き取り方向に沿って延在させる。ここでは、第１壁部１５ａを外周面３０２ａから垂設し、かつ、第２壁部１５ｂを第１壁部１５ａの突出方向側の端部から垂設することで、Ｌ字状の第１被ガイドレール部１２が形成されている。
【００４２】
この第１被ガイドレール部１２においては、第１壁部１５ａの被係合部１１側とは逆側の壁面を被ガイド壁面１２Ａとして利用する。また、この第１被ガイドレール部１２においては、第２壁部１５ｂにおける突出方向側の端面についても被ガイド壁面１２Ａとして利用する。第１壁部１５ａの被ガイド壁面１２Ａは、第２壁部１５ｂの被ガイド壁面１２Ａよりも被係合部１１側に寄せて配置されている。つまり、この第１被ガイドレール部１２は、第２壁部１５ｂに設けた被ガイド壁面１２Ａとしての第１被ガイド壁面１２Ａａと、第１壁部１５ａに設け、第１被ガイド壁面１２Ａａよりも被係合部１１側に寄せた被ガイド壁面１２Ａとしての第２被ガイド壁面１２Ａｂと、を有している（図１３）。
【００４３】
更に、この例示の被係合体１０は、板状の第３壁部１５ｃと板状の第４壁部１５ｄとで第２被ガイドレール部１３を形成する（図１３）。第３壁部１５ｃは、外周面３０２ａから突出させ、かつ、電子部品保持体３０２及び第１筐体部材２１０の組付け方向並びに第１成形型からの抜き取り方向に沿って延在させる。また、第４壁部１５ｄは、第３壁部１５ｃの突出方向側の端部から被係合部１１側とは逆側に突出させ、かつ、電子部品保持体３０２及び第１筐体部材２１０の組付け方向並びに第１成形型からの抜き取り方向に沿って延在させる。ここでは、第３壁部１５ｃを外周面３０２ａから垂設し、かつ、第４壁部１５ｄを第３壁部１５ｃの突出方向側の端部から垂設することで、Ｌ字状の第２被ガイドレール部１３が形成されている。
【００４４】
この第２被ガイドレール部１３においては、第３壁部１５ｃの被係合部１１側とは逆側の壁面を被ガイド壁面１３Ａとして利用する。また、この第２被ガイドレール部１３においては、第４壁部１５ｄにおける突出方向側の端面についても被ガイド壁面１３Ａとして利用する。第３壁部１５ｃの被ガイド壁面１３Ａは、第４壁部１５ｄの被ガイド壁面１３Ａよりも被係合部１１側に寄せて配置されている。つまり、この第２被ガイドレール部１３は、第４壁部１５ｄに設けた被ガイド壁面１３Ａとしての第１被ガイド壁面１３Ａａと、第３壁部１５ｃに設け、第１被ガイド壁面１３Ａａよりも被係合部１１側に寄せた被ガイド壁面１３Ａとしての第２被ガイド壁面１３Ａｂと、を有している（図１３）。
【００４５】
尚、この例示の被係合体１０は、外周面３０２ａから第２壁部１５ｂに向けて膨出させた第１リブ１６ａと、外周面３０２ａから第４壁部１５ｄに向けて膨出させた第２リブ１６ｂと、を有する（図１３）。この被係合体１０においては、対向配置されている第２壁部１５ｂと第１リブ１６ａとで第１ガイドレール部２２を挟み込み、かつ、対向配置されている第４壁部１５ｄと第２リブ１６ｂとで第２ガイドレール部２３を挟み込む。これにより、このロック構造１においては、その対向配置方向での被係合体１０と係合体２０との間のがたつきについても抑えることができる。
【００４６】
この例示の係合体２０においては、第１筐体部材２１０の外周壁２１１の内周面２１１ａから係合部２１を爪状に突出させている。
【００４７】
この例示の係合体２０は、第１壁部２５ａと第２壁部２５ｂとで第１ガイドレール部２２を形成する（図１４）。第１壁部２５ａは、外周壁２１１の内周面２１１ａから突出させ、かつ、電子部品保持体３０２及び第１筐体部材２１０の組付け方向並びに第２成形型からの抜き取り方向に沿って延在させる。また、第２壁部２５ｂは、第１壁部２５ａの突出方向側の端部から係合部２１側に突出させ、かつ、電子部品保持体３０２及び第１筐体部材２１０の組付け方向並びに第２成形型からの抜き取り方向に沿って延在させる。ここでは、第１壁部２５ａを内周面２１１ａから垂設し、かつ、第２壁部２５ｂを第１壁部２５ａの突出方向側の端部から垂設することで、Ｌ字状の第１ガイドレール部２２が形成されている。
【００４８】
この第１ガイドレール部２２においては、第１壁部２５ａの係合部２１側の壁面をガイド壁面２２Ａとして利用する。そのガイド壁面２２Ａは、第１被ガイドレール部１２の第２壁部１５ｂの被ガイド壁面１２Ａに対向配置される。また、この第１ガイドレール部２２においては、第２壁部２５ｂにおける突出方向側の端面についてもガイド壁面２２Ａとして利用する。そのガイド壁面２２Ａは、第１被ガイドレール部１２の第１壁部１５ａの被ガイド壁面１２Ａに対向配置される。つまり、第１ガイドレール部２２は、第１被ガイドレール部１２の第１被ガイド壁面１２Ａａを被係合部１１及び係合部２１が係合完了位置になるまで案内して、第１被ガイドレール部１２の第１被ガイド壁面１２Ａａに対向配置されるガイド壁面２２Ａとしての第１ガイド壁面２２Ａａと、第１被ガイドレール部１２の第２被ガイド壁面１２Ａｂを被係合部１１及び係合部２１が係合完了位置になるまで案内して、第１被ガイドレール部１２の第２被ガイド壁面１２Ａｂに対向配置されるガイド壁面２２Ａとしての第２ガイド壁面２２Ａｂと、を有している（図１４）。
【００４９】
更に、この例示の係合体２０は、第３壁部２５ｃと第４壁部２５ｄとで第２ガイドレール部２３を形成する（図１４）。第３壁部２５ｃは、外周壁２１１の内周面２１１ａから突出させ、かつ、電子部品保持体３０２及び第１筐体部材２１０の組付け方向並びに第２成形型からの抜き取り方向に沿って延在させる。また、第４壁部２５ｄは、第３壁部２５ｃの突出方向側の端部から係合部２１側に突出させ、かつ、電子部品保持体３０２及び第１筐体部材２１０の組付け方向並びに第２成形型からの抜き取り方向に沿って延在させる。ここでは、第３壁部２５ｃを内周面２１１ａから垂設し、かつ、第４壁部２５ｄを第３壁部２５ｃの突出方向側の端部から垂設することで、Ｌ字状の第２ガイドレール部２３が形成されている。
【００５０】
この第２ガイドレール部２３においては、第３壁部２５ｃの係合部２１側の壁面をガイド壁面２３Ａとして利用する。そのガイド壁面２３Ａは、第２被ガイドレール部１３の第４壁部１５ｄの被ガイド壁面１３Ａに対向配置される。また、この第２ガイドレール部２３においては、第４壁部２５ｄにおける突出方向側の端面についてもガイド壁面２３Ａとして利用する。そのガイド壁面２３Ａは、第２被ガイドレール部１３の第３壁部１５ｃの被ガイド壁面１３Ａに対向配置される。つまり、第２ガイドレール部２３は、第２被ガイドレール部１３の第１被ガイド壁面１３Ａａを被係合部１１及び係合部２１が係合完了位置になるまで案内して、第２被ガイドレール部１３の第１被ガイド壁面１３Ａａに対向配置されるガイド壁面２３Ａとしての第１ガイド壁面２３Ａａと、第２被ガイドレール部１３の第２被ガイド壁面１３Ａｂを被係合部１１及び係合部２１が係合完了位置になるまで案内して、第２被ガイドレール部１３の第２被ガイド壁面１３Ａｂに対向配置されるガイド壁面２３Ａとしての第２ガイド壁面２３Ａｂと、を有している（図１４）。
【００５１】
先に示したように、この例示の第１筐体部材２１０は、外周壁２１１と内周壁２１２の二重壁構造を採っている。そこで、この第１筐体部材２１０においては、内周壁２１２に矩形の切欠き部２１２ａを設け（図１４）、その切欠き部２１２ａを外周壁２１１の内周面２１１ａに対向配置させる。その内周面２１１ａにおいては、切欠き部２１２ａに対向配置されている部分に係合部２１を設ける。また、内周壁２１２においては、切欠き部２１２ａにおける周方向の２つの板状の周縁部を各々第２壁部２５ｂ及び第４壁部２５ｄとして利用する。第１筐体部材２１０においては、そのそれぞれの周縁部を各々の連結壁部を介して外周壁２１１に連結させる。この例示の係合体２０においては、そのそれぞれの連結壁部を各々第１壁部２５ａ及び第３壁部２５ｃとして利用する。
【００５２】
このロック構造１においては、第２組付け部材１２０としての第１筐体部材２１０に対する第１組付け部材１１０としての収容対象物３００の直線的な組付け動作に連動して、被係合体１０と係合体２０とが互いに近づきながら、第１被ガイドレール部１２が第１ガイドレール部２２に差し込まれ、かつ、第２被ガイドレール部１３が第２ガイドレール部２３に差し込まれていく。ここで、この例示の係合体２０は、第１ガイドレール部２２と第２ガイドレール部２３との間で互いに対向配置されるそれぞれの第１ガイド部２２Ａ１，２３Ａ１で、第１及び第２の被ガイドレール部１２，１３の進入口２７を形成している（図１４）。ここでは、第１ガイドレール部２２の２つの第１ガイド部２２Ａ１と第２ガイドレール部２３の２つの第１ガイド部２３Ａ１との間で、かつ、第１筐体部材２１０の他方の開口側に開口部が形成されており、その開口部を進入口２７として利用する。
【００５３】
このロック構造１においては、その収容対象物３００及び第１筐体部材２１０の間の直線的な組付け動作を継続させることで、第１被ガイドレール部１２が第１ガイドレール部２２に案内され、かつ、第２被ガイドレール部１３が第２ガイドレール部２３に案内されていく。このロック構造１においては、収容対象物３００と第１筐体部材２１０の組付けが完了した際に、被係合部１１と係合部２１の係合が完了する。
【００５４】
以上示したように、本実施形態のロック構造１は、第１成形型の抜き勾配の傾斜角で傾斜させた第１被ガイド部１２Ａ１，１３Ａ１と、第１被ガイド部１２Ａ１，１３Ａ１と同等の傾斜角で傾斜させ、被係合部１１及び係合部２１が係合完了位置のときに第１被ガイド部１２Ａ１，１３Ａ１に対して平行に対向配置させる第１ガイド部２２Ａ１，２３Ａ１と、を備える。そして、本実施形態のロック構造１は、第１成形型の抜き勾配の傾斜角よりも傾斜させた第２被ガイド部１２Ａ２，１３Ａ２と、第２被ガイド部１２Ａ２，１３Ａ２と同等の傾斜角で傾斜させ、被係合部１１及び係合部２１が係合完了位置のときに第２被ガイド部１２Ａ２，１３Ａ２に対して平行に対向配置させる第２ガイド部２２Ａ２，２３Ａ２と、を備える。従って、このロック構造１は、被係合体１０と係合体２０の接続作業性を向上させつつ、被係合体１０と係合体２０との間のがたつきを抑えることができるので、良好な接続作業性を得ながらも、第１組付け部材１１０及び第２組付け部材１２０を組付け状態のまま保つことができる。ここで、このロック構造１は、電気接続箱２００やワイヤハーネスＷＨの構成要素の１つになっている。従って、本実施形態の電気接続箱２００及びワイヤハーネスＷＨは、このロック構造１が奏する効果を同様に得ることができる。
【符号の説明】
【００５５】
１  ロック構造
１０  被係合体
１１  被係合部
１２  第１被ガイドレール部
１２Ａ  被ガイド壁面
１２Ａａ  第１被ガイド壁面
１２Ａｂ  第２被ガイド壁面
１２Ａ１  第１被ガイド部
１２Ａ２  第２被ガイド部
１３  第２被ガイドレール部
１３Ａ  被ガイド壁面
１３Ａａ  第１被ガイド壁面
１３Ａｂ  第２被ガイド壁面
１３Ａ１  第１被ガイド部
１３Ａ２  第２被ガイド部
２０  係合体
２１  係合部
２２  第１ガイドレール部
２２Ａ  ガイド壁面
２２Ａａ  第１ガイド壁面
２２Ａｂ  第２ガイド壁面
２２Ａ１  第１ガイド部
２２Ａ２  第２ガイド部
２３  第２ガイドレール部
２３Ａ  ガイド壁面
２３Ａａ  第１ガイド壁面
２３Ａｂ  第２ガイド壁面
２３Ａ１  第１ガイド部
２３Ａ２  第２ガイド部
２７  進入口
１１０  第１組付け部材
１２０  第２組付け部材
２００  電気接続箱
２０１  筐体
３００  収容対象物
３０１  電子部品（収容対象物）
３０２  電子部品保持体（収容対象物）
Ｔ１  第１被ガイド領域
Ｔ２  第２被ガイド領域
Ｗｅ  電線
ＷＨ  ワイヤハーネス
【図１】
2020029890.tif 000003
【図２】
2020029890.tif 000004
【図３】
2020029890.tif 000005
【図４】
2020029890.tif 000006
【図５】
2020029890.tif 000007
【図６】
2020029890.tif 000008
【図７】
2020029890.tif 000009
【図８】
2020029890.tif 000010
【図９】
2020029890.tif 000011
【図１０】
2020029890.tif 000012
【図１１】
2020029890.tif 000013
【図１２】
2020029890.tif 000014
【図１３】
2020029890.tif 000015
【図１４】
2020029890.tif 000016